(57)【要約】  本発明では、有意な高密度ハイブリッド光ディスク、およびその製造方法が提供される。本発明のある実施例では、高密度ハイブリッド光ディスクは、相互に接着接合された第１および第２のディスク部分を有し、各前記ディスク部分は、少なくとも一つの透明基板およびデータ層を有し、前記第１および第２のディスク部分の少なくとも一つは、高密度のフォーマットを有する。当該ハイブリッド光ディスクの前記第２のディスク部分の前記データ層は、高透過性／低反射性層によってコーティングされ、前記第１および第２のディスク部分を接合する透明組立接着層と向かい合うように設置される。
2008529196.tif 000002
【特許請求の範囲】
【請求項１】
相互に接着接合された第１および第２のディスク部分を有する光ディスクであって、
各前記ディスク部分は、少なくとも一つの透明基板およびデータ層を有し、
前記第２のディスク部分の前記データ層は、高透過性／低反射性層によってコーティングされ、前記第１および第２のディスク部分を接合する透明組立接着層と向かい合うように設置され、
前記第１および第２のディスク部分の少なくとも一つは、高密度のフォーマットを有することを特徴とする光ディスク。
【請求項２】
前記第１のディスク部分の前記データ層は、反射層によってコーティングされ、前記透明組立接着層に隣接して設置されることを特徴とする請求項１に記載の光ディスク。
【請求項３】
前記第１のディスク部分の前記データ層は、ＤＶＤ標準規格により作製され、前記第２のディスク部分の前記データ層は、ブルーレイディスク（ＢＤ）標準規格により作製され、
前記第１および第２のディスク部分の各々は、約０．６ｍｍの厚さを有することを特徴とする請求項２に記載の光ディスク。
【請求項４】
ＤＶＤデータおよびＢＤデータは、当該光ディスクの共通の側から読み出されることを特徴とする請求項３に記載の光ディスク。
【請求項５】
前記第１のディスク部分の前記データ層および前記第２のディスク部分の前記データ層は、約０．５ｍｍの透明層によって分離されていることを特徴とする請求項３に記載の光ディスク。
【請求項６】
前記第１のディスク部分の前記データ層は、反射層によりコーティングされ、前記透明組立接着層と向かい合うように設置されることを特徴とする請求項１に記載の光ディスク。
【請求項７】
前記第１のディスク部分の前記データ層は、ＣＤ標準規格によって製作され、前記第２のディスク部分の前記データ層は、ブルーレイディスク標準規格によって製作され、前記第１および第２のディスク部分の各々は、約０．６ｍｍの厚さを有することを特徴とする請求項６に記載の光ディスク。
【請求項８】
ＣＤデータおよびＢＤデータは、当該光ディスクの共通の側から読み出されることを特徴とする請求項７に記載の光ディスク。
【請求項９】
前記第１の基本ディスクの前記データ部分および前記第２の基本ディスクの前記データ部分は、約１．１ｍｍの透明層によって分離されることを特徴とする請求項７に記載の光ディスク。
【請求項１０】
前記第１および第２のディスク部分の前記データ層は、２種類の相互に異なる標準規格により作製されることを特徴とする請求項１に記載の光ディスク。
【請求項１１】
前記高透過性／低反射性層は、約０．１ｍｍの厚さを有することを特徴とする請求項１に記載の光ディスク。
【請求項１２】
前記高透過性／低反射性層は、スピンコートされることを特徴とする請求項１に記載の光ディスク。
【請求項１３】
前記高透過性／低反射性層は、紫外線硬化ラッカーを用いてスピンコートされることを特徴とする請求項１に記載の光ディスク。
【請求項１４】
光ディスクを製造する方法であって、
第１の透明基板の少なくとも一部を圧縮することにより、第１のディスク部分を製作し、第１の標準規格による第１のデータ層を形成するステップであって、前記データ層は、反射層でコーティングされるステップと、
第２の透明基板の少なくとも一部を圧縮することにより、第２のディスク部分を製作し、第２の標準規格による第２のデータ層を形成するステップであって、前記第２のデータ層は、高透過性／低反射性層でコーティングされ、その後、保護層で保護されるステップと、
前記第２のディスク部分の前記第２のデータ層が接着層と向かい合うように、前記２つのディスク部分を相互に接着接合するステップと、
を有し、
前記第１および第２のディスク部分の少なくとも一方は、高密度のフォーマットを有することを特徴とする方法。
【請求項１５】
前記第１および第２のディスク部分は、前記第１のディスク部分の前記反射層が前記接着層と隣接するようにして接合されることを特徴とする請求項１４に記載の方法。
【請求項１６】
前記第１のディスク部分の前記データ層は、ＤＶＤ標準に規格により製作され、前記第２のディスク部分の前記データ層は、ブルーレイディスク（ＢＤ）標準規格により作製され、
前記第１および第２のディスク部分の各々は、約０．６ｍｍの厚さを有することを特徴とする請求項１５に記載の方法。
【請求項１７】
前記製作の際に、通常のＤＶＤ用の方向とは反対方向に、ＤＶＤ情報が記録されることを特徴とする請求項１６に記載の方法。
【請求項１８】
前記第１および第２のディスク部分は、前記第１のディスク部分の前記反射層が前記接着層と向かい合うようにして接合されることを特徴とする請求項１４に記載の方法。
【請求項１９】
前記第１のディスク部分の前記データ層は、ＣＤ標準規格によって製作され、前記第２のディスク部分の前記データ層は、ブルーレイディスク（ＢＤ）標準規格によって製作され、
前記第１および第２のディスク部分の各々は、約０．６ｍｍの厚さを有することを特徴とする請求項１８に記載の方法。
【請求項２０】
前記第２のディスク部分の前記高透過性／低反射性層は、４０５ｎｍの波長の可読性のため、最小限の反射性と最大限の透過性を有するコーティングを有することを特徴とする請求項１４に記載の方法。
【請求項２１】
ジュアルフォーマットを有する高密度ハイブリッド光ディスクであって、
高密度のフォーマットを有する第１のハーフディスクと、
比較的低密度のフォーマットを有する第２のハーフディスクと、
を有し、
前記第１のハーフディスクおよび前記第２のハーフディスクは、相互に接合され、ジュアルフォーマットの完全な厚さの光ディスクが構成され、両フォーマットは、前記完全な厚さの光ディスクの共通の側から読み取ることができることを特徴とする高密度ハイブリッド光ディスク。
【請求項２２】
ジュアルフォーマットを有する高密度ハイブリッド光ディスクの製造方法であって、
第１のハーフディスクの第１の側に、高密度のフォーマットを記録するステップと、
第２のハーフディスクの第１の側に、比較的低密度のフォーマットを記録するステップと、
前記第１および第２のハーフディスクを接合して、ジュアルフォーマットの完全な厚さのハイブリッド光ディスクを提供するステップと、
を有し、
両フォーマットは、前記完全な厚さの光ディスクの共通の側から読み取ることができることを特徴とする製造方法。
【請求項２３】
前記高密度のフォーマットは、ブルーレイディスク（ＢＤ）高密度のフォーマットを有することを特徴とする請求項２０に記載の製造方法。
【発明の詳細な説明】
【技術分野】
【０００１】
本発明は、光記録ディスクに関し、特に高密度ハイブリッド光ディスクおよびこれを製造する方法に関する。
【０００２】
本願は、２００５年１月２５日に出願された米国仮特許出願第６０／６４６，７０２号の優先権を主張するものであり、この内容全体は、本願の参照として取り入れられている。
【背景技術】
【０００３】
光ディスクにレーザビームを照射することにより、情報を記録し再生する光ディスクには、様々なフォーマットのものがあり、例えば読み取り専用型のコンパクトディスク（ＣＤ−ＤＡ、ＣＤ−ＲＯＭ）、追記型コンパクトディスク（ＣＤ−Ｒ）、再記録可能型コンパクトディスク（ＣＤ−ＲＷ）等がある。通常の場合、各ディスクは、直径が１２０ｍｍで厚さが約１．２ｍｍのベース基板から製作され、実質的に７８０ｎｍのレーザビームで記録され再生されるように構成される。
【０００４】
前述のコンパクトディスクに加えて、デジタル多用途ディスク（ＤＶＤ）がある。ＤＶＤでは、コンパクトディスクと同じ１２０ｍｍの直径を有するディスクに、既存のテレビジョンと同等の画質で動画を保管することができる。ＤＶＤでは、記憶容量をコンパクトディスクの６倍から８倍に増大させる必要がある。そのため、ＤＶＤでは、通常波長が６３５から６５０ｎｍのレーザビームを用いて、データの記録および再生がなされ、この波長は、コンパクトディスク等に使用されるレーザビームよりも短くなっている。コンパクトディスクが単一の基板で構成されるのに対して、ＤＶＤは、それぞれ０．６ｍｍのベース基板を接合して構成される。読み取り専用型ＤＶＤは、２種類のＤＶＤを含む。そのうちの一つは、記録表面を有する２つのベース基板が相互に接合され、信号記録表面として両表面が使用されるタイプのＤＶＤである。他方は、信号記録表面を有するベース基板が、信号記録表面を有さないダミーベース基板と接合され、単一の表面が信号記録表面として使用されるタイプのＤＶＤである。
【０００５】
近年、ブルーレイディスク（登録商標）と呼ばれる別のディスクが紹介され、通常このディスクは、直径が１２０ｍｍで、コンパクトディスクまたはＤＶＤと同じ直径である。ブルーレイディスクでは、高解像度テレビジョンと同等の画質で動画を保管することができる。通常紹介されているブルーレイディスクは、記憶容量に３種類のタイプがあり、これには、２３．３ギガバイト、２５ギガバイト、および２７ギガバイトの記憶容量が含まれる。通常ブルーレイディスクには、約４０５ｎｍの波長を有するレーザビームが使用され、この波長は、ＤＶＤの波長よりもさらに短い。また、通常ブルーレイディスクは、厚さが１．１ｍｍのディスク基板上に、記録層および反射層が積層された構造を有し、さらに最上部層に、傾斜マージンを確保するための０．１ｍｍの透明カバー層を有する。
【０００６】
前述のように、従来よりコンパクトディスク、ＤＶＤおよびブルーレイディスクのような複数の種類の光ディスクが知られているものの、現在のところ、これらの光ディスクフォーマットの組み合わせを有し、コスト効果のある方法で製作される光ディスクは存在しない。
【発明の開示】
【発明が解決しようとする課題】
【０００７】
本発明では、高密度ハイブリッド光ディスクおよびそれを製造する方法を提供することにより、従来の問題に対処することを目的とする。
【課題を解決するための手段】
【０００８】
本発明のある実施例では、ハイブリッド光ディスクは、相互に接着接合された第１および第２のディスク部分を有し、各前記ディスク部分は、少なくとも一つの透明基板およびデータ層を有し、前記第１および第２のディスク部分の少なくとも一つは、高密度のフォーマットを有する。当該ハイブリッド光ディスクの第２のディスク部分のデータ層は、高透過性／低反射性層でコーティングされ、第１および第２のディスク部分を接合する透明組立接着層と向かい合うように設置される。
【０００９】
本発明の代替実施例では、本発明のハイブリッド光ディスクを製造する方法は、第１の透明基板の少なくとも一部を圧縮することにより、第１のディスク部分を製作し、第１の標準規格による第１のデータ層を形成するステップであって、前記データ層は、反射層でコーティングされるステップと、第２の透明基板の少なくとも一部を圧縮することにより、第２のディスク部分を製作し、第２の標準規格による第２のデータ層を形成するステップであって、前記第２のデータ層は、高透過性／低反射性層でコーティングされ、その後、保護層で保護されるステップと、を有する。当該方法は、さらに、前記第２のディスク部分の前記第２のデータ層が接着層と向かい合うように、前記２つのディスク部分を相互に接着接合するステップを有し、前記第１および第２のディスク部分の少なくとも一方は、高密度のフォーマットを有する。
【００１０】
本発明のさらに別の実施例では、ジュアルフォーマットのハイブリッド光ディスクは、第１のフォーマットを有する第１のハーフディスクと、第２のフォーマットを有する第２のハーフディスクとを有し、第１のフォーマットおよび第２のフォーマットの少なくとも一方は、高密度のフォーマットである。第１のハーフディスクおよび第２のハーフディスクは、相互に接合され、完全な厚さのディスクが製作され、両フォーマットは、この完全な厚さのディスクの共通の側から読み取られる。
【００１１】
本発明のさらに別の実施例では、本発明のジュアルフォーマットのハイブリッド光ディスクの製造方法は、第１のハーフディスクの第１の側に、高密度のフォーマットを記録するステップと、第２のハーフディスクの第１の側に、比較的低密度のフォーマットを記録するステップと、前記第１および第２のハーフディスクを接合して、ジュアルフォーマットの完全な厚さのハイブリッド光ディスクを提供するステップと、を有し、両フォーマットは、前記完全な厚さの光ディスクの共通の側から読み取られる。
【発明を実施するための最良の形態】
【００１２】
本発明の内容は、添付図面とともに以下の詳細な説明を考慮することにより、容易に理解することができる。
【００１３】
理解を容易にするため、可能な場合、図面間で共通する同一の素子を示す際に、同一の参照符号が使用されている。
【００１４】
本発明では、有意な高密度ハイブリッド光ディスク、およびその製造方法が提供される。本願の内容全体を通して、および本発明の実施例には、各種特定のフォーマットの組み合わせを有する高密度ハイブリッド光ディスクの範囲内で、本発明の態様が示されているが、本発明の特定の実施例を、本発明を限定するものと解してはならない。実質的にいかなる他の低密度媒体部分（ハーフディスク）との組み合わせであっても良い、少なくとも一つの高密度光ディスク部分（ハーフディスク）を有する高密度ハイブリッド光ディスクを提供するために、本発明の概念を適用することは、当分野の当業者には明らかであり、当業者は、本発明の内容を理解することができる。
【００１５】
本発明のある実施例では、本発明による高密度ハイブリッド光ディスクは、ブルーレイディスク（ＢＤ）層およびＤＶＤ層を有する。例えば、図１には、本発明の実施例による高密度ハイブリッド光ＢＤ／ＤＶＤディスク１００のハイレベルブロック図が示されている。図１に示すように、図１のＢＤ／ＤＶＤディスク１００は、外方ＢＤ層１１０および内方ＤＶＤ層１２０を有する。ＢＤ／ＤＶＤディスク１００は、透明接着層を用いて、ＤＶＤ標準規格に基づいてデータが記録されるＤＶＤ層１２０を、ブルーレイディスク標準規格に基づいてデータが記録されるＢＤ層１１０と接合することにより構成される。高密度ハイブリッド光ＢＤ／ＤＶＤディスク１００は、ＤＶＤプレーヤ（例えば６５０ｎｍ、ＮＡ＝０．６）および／またはブルーレイプレーヤ（例えば４０５ｎｍ、ＮＡ＝０．８５）で再生することが可能なディスクを有する。さらに図１には、ＢＤレーザ１１５およびＤＶＤレーザ１２５が示されており、これらは、それぞれＢＤデータおよびＤＶＤデータを読み取る。
【００１６】
より具体的には、本発明のある実施例では、ＤＶＤハーフディスク接合技術（例えば透明組立接着層）が使用され、一つのジュアルフォーマットの完全な厚さのディスクが作製され、図１の実施例では、両フォーマットは、同じ側から読み出される。ＤＶＤ単層方式では、記録は、ジュアル層のレイヤ１パラレルトラックパス記録方式と同様の、逆回転方向のＡ面側で実施される。ＤＶＤ単層方式の記録は、レイヤ０技術方式ではなくレイヤ１技術方式と同様の方法で、ディスクの物理的な表面で実施される。元の成形レプリカのＢ面側は、非標準的な０．５ｍｍの成形穴を用いて作製される。Ｂ面側スタンパは、高密度である（例えばブルーレイ）。Ｂ面側ディスクは、４０５ｎｍのレーザに適した高透過性／低反射性コーティングでスパッタ処理される（例えば銀または水素化ケイ素）。Ｂ面側ディスクは、接合の際に、スパッタデータ表面がディスクの外側となるように反転される。本発明のある実施例では、上部にＢ面側データ表面を有する接合ディスクは、紫外線硬化ラッカーを用いてスピンコートされ、０．１ｍｍのカバー層が構成される。他の全てのＤＶＤディスクとは異なり、完成後のディスクには、Ａ面側ディスク表面に印刷ラベルが設置される。すなわち、完成後の高密度ハイブリッド光ＢＤ／ＤＶＤディスク１００は、Ａ面側のディスクの表面全体にわたり、ラベルが印刷される。ＤＶＤ層（例えば６５０ｎｍ、ＮＡ＝０．６）は、赤色レーザを用いて、ディスクのＢ面側を介して読み取られ、このレーザは、０．１ｍｍのスピンコートカバー層を通り、さらに高密度データ表面を通って、Ａ面側ディスク上に成形されたＤＶＤデータ層に到達する。すなわち、ＢＤ層は、ＤＶＤ部分用に使用される赤色レーザ光に対して透明である。図１に示すように、ＤＶＤデータ層は、Ｂ面側の最外方表面（例えばＢＤカバー層）から約０．６ｍｍの位置にある。図１の実施例では、ＢＤカバー層は、０．１ｍｍであるため、図１に示す本発明の実施例では、ＢＤ層およびＤＶＤ層は、約０．５ｍｍの透明層によって離間されている。
【００１７】
最終接合後の高密度ＢＤ／ＤＶＤディスク１００は、図１に示すように、ＤＶＤディスク部分の反射層が、接合部の位置（例えば接着層）に隣接して設置されるように構成される。
【００１８】
図２には、本発明の一実施例による、図１のＢＤ／ＤＶＤディスクのようなＢＤ／ＤＶＤディスクを製造する方法のフロー図を示す。図２の方法２００は、ステップ２２で開始され、従来のＤＶＤハーフディスク成形技術を用いて、２つのＤＶＤハーフディスク（基本ディスク）が成形される。このＤＶＤは、厚さが実質的に０．６ｍｍの第１のディスクと、厚さが実質的に０．５ｍｍの第２のディスクとを有する。次に、方法２００は、ステップ２０４に進む。
【００１９】
ステップ２０４では、第１のハーフディスク上に、通常のＤＶＤの方向とは反対方向（例えばＤＶＤ５の反対方向）に、ＤＶＤ情報を有するスタンパが記録（例えば圧縮）される。これは、ＤＶＤ情報が第２のハーフディスクを介して読み出されるためである。次に、方法２００は、ステップ２０６に進む。
【００２０】
ステップ２０６では、標準的な高密度（例えば０．１ｍｍ）記録方式（例えばブルーレイ方式）で、第２のハーフディスクに記録（例えば圧縮）が行われる。次に、方法２００は、ステップ２０８に進む。
【００２１】
ステップ２０８では、例えばスパッタリング装置内で、銀またはアルミニウムのフル反射層を設置することにより、第１のハーフディスクが、適切なＤＶＤ−Ｒ／Ｗ用の層スタック材料でコーティングされる。次に、方法２００は、ステップ２１０に進む。
【００２２】
ステップ２１０では、第２のハーフディスクは、波長４０５ｎｍで読み取ることの可能な、最小限の反射性（最大限の透過性）を有する層でコーティングされる。次に、方法２００は、ステップ２１２に進む。
【００２３】
ステップ２１２では、第１のハーフディスクと第２のハーフディスクを接合する前に、第２のハーフディスク（０．５ｍｍの基板）は、データ表面が接合ディスクの外側になるように設置（反転）される。すなわち、第１のハーフディスクおよび第２のハーフディスクは、接合の際に、第２のハーフディスクのデータ表面がディスクの外側（読み取り側）に維持され、接合の際に、第１のハーフディスクのデータ表面がディスク間に維持されるように、相互に相対して設置される。次に、方法２００は、ステップ２１４に進む。
【００２４】
ステップ２１４では、従来のＤＶＤ紫外線接合手段（例えば、透明組立接着層）を用いて、２つのハーフディスクが中央で接合される。次に、方法２００は、ステップ２１６に進む。
【００２５】
ステップ２１６では、ＵＶ硬化ラッカーを用いて、ブルーレイカバー層がコーティングされ、例えばＮＡ＝０．８５の読み取り装置を使用した場合、４０５ｎｍの読み取りには０．１ｍｍのカバー層を形成することが必要となる。その後、方法２００が完了する。
【００２６】
図３には、本発明の別の実施例による、高密度ハイブリッド光ＢＤ／ＣＤディスク３００のハイレベルブロック図を示す。図３に示すように、図１のＢＤ／ＣＤディスク３００は、ＢＤ層３１０およびＣＤ層３２０を有する。ＢＤ／ＣＤディスク３００は、接着層を介して、ＣＤ標準規格に基づいてデータが記録されるＣＤ層３２０を、ブルーレイディスク標準規格に基づいてデータが記録されるＢＤ層３１０と接合することにより形成される。高密度ハイブリッド光ＢＤ／ＣＤディスク３００は、ＣＤ（例えば−Ｒ／Ｗ）プレーヤ（例えば７８０ｎｍ、ＮＡ＝０．６）および／またはブルーレイプレーヤ（例えば４０５ｎｍ、ＮＡ＝０．８５）で再生することが可能なディスクを有する。さらに図３には、ＢＤレーザ３１５およびＣＤレーザ３２５が示されており、これらにより、それぞれＢＤ−データおよびＣＤデータが読み取られる。
【００２７】
より具体的には、図３のＢＤ／ＣＤディスク３００に、ＣＤ／ＤＶＤハーフディスク接合技術（例えば透明組立接着層）が使用され、一つのジュアルフォーマットの完全な厚さのディスクが作製され、図３の実施例では、両フォーマットは、同じ側から読み出される。第１のハーフディスクのＡ面側は、標準的なＣＤ（例えば、−Ｒ／Ｗ）として記録されたスタンパを有し、これは厚さが半分の０．６ｍｍのディスク上に作製される。元の成形レプリカのＢ面側は、非標準的な０．５ｍｍの成形穴を用いて製作される。Ｂ面側スタンパは、高密度である（例えば、ブルーレイ）。Ｂ面側ディスクは、４０５ｎｍのレーザに適した高透過性／低反射性コーティング（例えば、銀または水素化ケイ素）でスパッタ処理される。Ｂ面側ディスクは、反転され、接合の際には、被スパッタデータ表面が外側となる。上部にＢ面側データ表面を有する接合ディスクは、ＵＶ硬化ラッカーを用いてスピンコートされ、０．１ｍｍのカバー層が形成される。ＣＤデータを有するＡ面側ハーフディスクが反転されると、ＣＤデータ表面がディスクの外側となり、接合の際にディスクの底部表面となる。次に、Ａ面側およびＢ面側を有する２つのハーフディスクは、ＤＶＤ接着材を用いて接合される。接合される表面は、Ａ面およびＢ面側基板の（非データ）透明表面である。
【００２８】
接合されたディスクには、Ａ面側ディスクの表面全体にラベルが印刷される。ＣＤ（例えば−Ｒ／Ｗ）層（例えば７８０ｎｍ、ＮＡ＝０．４５）は、ディスクのＢ面側を介して、赤外線レーザを用いて読み取られ、このレーザは、０．１ｍｍのスピンコートカバー層を通り、さらに高密度データ表面を通り、Ａ面側ディスク上に成形されたＣＤデータ層に到達する。すなわち、ＢＤ層は、ＣＤ部分用に使用される赤外線レーザ光に対して透明である。前述のように、ディスクのＣＤ部分は、半分の厚さ０．６ｍｍのディスク上に製作されており、またＢ面側（例えば、ディスクのブルーレイ部分）は、非標準的な０．５ｍｍの成形穴を用いて形成されている。そのため、図３に示した本発明の実施例では、ＢＤ層およびＣＤ層は、厚さが約１．１ｍｍの透明スペーサ層によって分離される。
【００２９】
最終接合後の高密度ＢＤ／ＤＶＤディスク３００は、図３に示すように、ＣＤディスク部分の反射層が、接合位置（例えば接着層）の反対側に位置するように構成される。
【００３０】
図４には、本発明の実施例による、図３のＢＤ／ＣＤ３００のようなＢＤ／ＣＤディスクの製作方法のフロー図を示す。図４の方法４００は、ステップ４０２で開始され、このステップでは、従来のＣＤ／ＤＶＤハーフディスク成形技術を用いて、２つのＣＤ（ＤＶＤ）ハーフディスクが成形され、ＣＤは、厚さが実質的に０．６ｍｍの第１のディスクと、厚さが実質的に０．５ｍｍの第２のディスクとを有する。次に、方法４００は、ステップ４０４に進む。
【００３１】
ステップ４０４では、第１のハーフディスク上に、標準的なＣＤ（例えば−Ｒ／Ｗ）としてのスタンパが記録（圧縮）される。次に、方法４００は、ステップ４０６に進む。
【００３２】
ステップ４０６では、標準的な０．１ｍｍの記録方式（例えばブルーレイ）として、第２のハーフディスクが記録（圧縮）される。次に、方法４００は、ステップ４０８に進む。
【００３３】
ステップ４０８では、第１のハーフディスク上でのＣＤ（例えば−Ｒ）の製造プロセスが完了する。次に、方法４００は、ステップ４１０に進む。
【００３４】
ステップ４１０では、第２のハーフディスクは、波長４０５ｎｍで読み取ることの可能な、最小限の反射性（最大限の透過性）を有する層でコーティングされる。次に、方法４００は、ステップ４１２に進む。
【００３５】
ステップ４１２では、第１のハーフディスクと第２のハーフディスクの接合前に、第１のハーフディスク（０．６ｍｍの基板）および第２のハーフディスク（０．５ｍｍの基板）は、各ディスクのデータ表面が反対側のディスクに対して外側となるように、相互に相対して設置される。次に、方法４００は、ステップ４１４に進む。
【００３６】
ステップ４１４では、従来のＤＶＤ紫外線接合手段を用いて、２つのハーフディスクが中央で接合される。次に、方法４００は、ステップ４１６に進む。
【００３７】
ステップ４１６では、ＵＶ硬化ラッカーを用いて、ブルーレイの０．１ｍｍのカバー層がコーティングされ、例えばＮＡ＝０．８５の読み取り装置を使用した場合、４０５ｎｍの読み取りに必要な、０．１ｍｍのカバー層が構成される。その後、方法４００が完了する。
【００３８】
高密度ハイブリッド光ディスクおよびそのようなディスクの製造方法に関する各種実施例を示した（これらは一例であって、限定的なものではない）が、当業者には、前述の開示に基づいて、修正および変更がなされ得ることに留意する必要がある。従って、開示された本発明の特定の実施例についてなされた変更は、添付の特許請求の範囲によって定められる本発明の範囲および思想の範囲内にあることを理解する必要がある。すなわち、前述の記載は、本発明の各種実施例に関するものであるが、本発明の他のおよび更なる実施例についても、本発明の基本思想範囲から逸脱しないで実施することができる。それゆえ、本発明の適切な範囲は、特許請求の範囲によって定められる。
【図面の簡単な説明】
【００３９】
【図１】本発明の実施例による高密度ハイブリッド光ＢＤ／ＤＶＤディスクのハイレベルブロック図である。
【図２】本発明の一実施例によるＢＤ／ＤＶＤディスクの製造方法のフロー図である。
【図３】本発明の別の実施例による高密度ハイブリッド光ＢＤ／ＣＤディスクのハイレベルブロック図である。
【図４】本発明の一実施例による図３のＢＤ／ＣＤのようなＢＤ／ＣＤディスクを製造する方法のフロー図である。
【図１】
2008529196.tif 000003
【図２】
2008529196.tif 000004
【図３】
2008529196.tif 000005
【図４】
2008529196.tif 000006
【国際調査報告】
2008529196.tif 000007
2008529196.tif 000008
2008529196.tif 000009